(57)【特許請求の範囲】
【請求項１】
気密な処理室内に処理ガスを導入し，前記処理室内に配置された被処理体に形成された有機層膜に対して，ＳｉＯ２膜層とフォトレジスト膜層とから成るマスクでエッチングするエッチング方法において：
前記処理ガスは少なくとも窒素原子含有気体と水素原子含有気体とを含み，
前記真空処理室内の圧力は５００ｍＴｏｒｒ以上であり，
前記有機層膜に対するエッチングを，前記有機層膜の途中で停止させ，エッチング処理を終了することを特徴とする，エッチング方法。
【請求項２】
前記真空処理室内の圧力は５００ｍＴｏｒｒ〜８００ｍＴｏｒｒであることを特徴とする，請求項１に記載のエッチング方法。
【請求項３】
前記窒素原子含有気体はＮ２であり，前記水素原子含有気体はＨ２であることを特徴とする，請求項１または２に記載のエッチング方法
【請求項４】
前記処理ガスは，Ａｒをさらに含むことを特徴とする，請求項１，２または３のいずれかに記載のエッチング方法。
【請求項５】
前記有機層膜に対するエッチングを，前記有機層膜の途中で停止させることで，底面が平坦な溝を形成することを特徴とする，請求項１，２，３または４のいずれかに記載のエッチング方法。
【発明の詳細な説明】
【０００１】
【発明の属する技術分野】
本発明は，エッチング方法に関する。
【０００２】
【従来の技術】
従来，半導体素子の配線にＡｌ合金を用いる場合，層間絶縁膜上にＡｌ合金をスパッタ法で堆積し，その後エッチングして配線パターンを形成していた。この従来のドライエッチングにおいては，処理室内の圧力は，数ｍＴｏｒｒ〜１００ｍＴｏｒｒの圧力領域が一般的であった。特開昭６０−１７０２３８によれば，５０〜１００ｍＴｏｒｒの圧力範囲でエッチング速度を最高にすることができる旨が記載されている。
【０００３】
この従来法に対し，近年，ダマシン・プロセスと称されるＣｕ配線の形成が行われている。ダマシン・プロセスとは，層間絶縁膜に配線パターンの溝を形成し，この溝に配線材料を埋め込む方法である。Ａｌ合金からＣｕへの配線材料の変更によって，比抵抗が約半分になり，高速化しやすくなる。科学的機械研磨（ＣＭＰ）による平坦化が可能になっている現在，ダマシン・プロセスは実用化しやすくなった。
【０００４】
また，ダマシン・プロセスの応用技術として，デュアル・ダマシンと称される技術がある。デュアル・ダマシンとは，後工程により配線とビアホールとが形成される逆凸型の溝を層間絶縁膜に形成し，この溝に配線用の金属物質を埋め込むことで配線とビアホールとを同時に形成する技術である。このデュアル・ダマシン用の逆凸型の溝を形成するにあたっては，層間絶縁膜の途中でエッチングを停止させた際に，形成された溝の底面が平坦になるよう制御する必要がある。
【０００５】
【発明が解決しようとする課題】
ところで，上述した従来の数ｍＴｏｒｒ〜１００ｍＴｏｒｒ圧力範囲でこのデュアル・ダマシン用の逆凸型の溝を形成すると，溝の底面が平坦にならず，いわゆるマイクロトレンチングが生じるという問題や，エッチングマスクに対する選択比（以下，「マスク選択比」という。）が低いという問題が生じる。
【０００６】
このマイクロトレンチングを防ぐため，所望の深さに下地となる層（以下，「エッチストッパ」と称する。）を形成することが行われている。しかしながら，エッチストッパは誘電率が高いため，配線間にキャパシタが形成されてしまうという別の問題が生じる。配線の微細化が進む最先端技術においては，エッチストッパを用いることなくマイクロトレンチングを防ぐことの可能なエッチング方法の開発が急務となっている。
【０００７】
本発明は，従来のエッチング方法が有する上記問題点に鑑みてなされたものであり，本発明の第１の目的は，エッチストッパを用いることなく，マイクロトレンチングを防ぐことの可能な，新規かつ改良されたエッチング方法を提供することである。
【０００８】
さらに，本発明の第２の目的は，マスク選択比を向上させることの可能な，新規かつ改良されたエッチング方法を提供することである。
【０００９】
【課題を解決するための手段】
上記課題を解決するため，請求項１によれば，気密な処理室内に処理ガスを導入し，処理室内に配置された被処理体に形成された有機層膜に対して，ＳｉＯ２膜層とフォトレジスト膜層とから成るマスクでエッチングするエッチング方法において，処理ガスは，少なくとも窒素原子含有気体と水素原子含有気体とを含み，真空処理室内の圧力は５００ｍＴｏｒｒ以上であり，有機層膜に対するエッチングを，有機層膜の途中で停止させ，エッチング処理を終了することを特徴とするエッチング方法が提供される。なお，有機膜は比誘電率が３．５以下の低誘電率材料が好ましい。また，真空処理室内の圧力は，請求項２に記載のように，５００ｍＴｏｒｒ〜８００ｍＴｏｒｒであることが好ましい。
【００１０】
処理ガスに少なくとも窒素原子含有気体と水素原子含有気体とを含み，真空処理室内の圧力を５００ｍＴｏｒｒ以上にすると，エッチストッパを用いることなく，マイクロトレンチングを防ぐことができる。また，マスク選択比を高めることができる。従って，エッチングを有機層膜の途中で停止する必要が生じるプロセス，例えばデュアル・ダマシンプロセス等において特に効果的である。
【００１１】
また，請求項３に記載のように，窒素原子含有気体としてＮ２を採用してもよく，水素原子含有気体としてＨ２を採用してもよい。このように，処理ガスの構成として，Ｎ２やＨ２を採用すれば，取扱いが容易であるとともに，大気中に放出されても地球の温暖化の原因となり難い。さらに，Ｎ２やＨ２は安価であるため，処理コストが上昇することがない。
【００１２】
また，請求項４に記載のように，処理ガスにＡｒを含むようにすれば，エッチング条件を容易に制御できるため，溝の形状制御を容易に行うことができる。
【００１３】
【発明の実施の形態】
以下に添付図面を参照しながら，本発明にかかるエッチング方法の好適な実施の形態について詳細に説明する。なお，本明細書及び図面において，実質的に同一の機能構成を有する構成要素については，同一の符号を付することにより重複説明を省略する。
【００１４】
（１）エッチング装置の構成
まず，図１を参照しながら，本実施の形態のエッチング方法が適用されるエッチング装置１００について説明する。
同図に示すエッチング装置１００の処理容器１０２内には，処理室１０４が形成されており，この処理室１０４内には，上下動自在なサセプタを構成する下部電極１０６が配置されている。下部電極１０６の上部には，高圧直流電源１０８に接続された静電チャック１１０が設けられており，この静電チャック１１０の上面に被処理体，例えば半導体ウェハ（以下，「ウェハ」と称する。）Ｗが載置される。さらに，下部電極１０６上に載置されたウェハＷの周囲には，絶縁性のフォーカスリング１１２が配置されている。また，下部電極１０６には，整合器１１８を介して高周波電源１２０が接続されている。
【００１５】
また，下部電極１０６の載置面と対向する処理室１０４の天井部には，多数のガス吐出孔１２２ａを備えた上部電極１２２が配置されている。上部電極１２２と処理容器１０２との間には絶縁体１２３が設けられている。また，上部電極１２２には，整合器１１９を介してプラズマ生成高周波電力を出力する高周波電源１２１が接続されている。また，ガス吐出孔１２２ａには，ガス供給管１２４が接続され，さらにそのガス供給管１２４には，図示の例では第１〜第３分岐管１２６，１２８，１３０が接続されている。
【００１６】
第１分岐管１２６には，開閉バルブ１３２と流量調整バルブ１３４を介して，Ｎ２を供給するガス供給源１３６が接続されている。また，第２分岐管１２８には，開閉バルブ１３８と流量調整バルブ１４０を介して，Ｈ２を供給するガス供給源１４２が接続されている。さらに，第３分岐管１３０には，開閉バルブ１４４と流量調整バルブ１４６を介して，Ａｒを供給するガス供給源１４８が接続されている。処理ガスに添加される不活性ガスは，上記Ａｒに限定されず，処理室１０４内に励起されるプラズマを調整することができるガスであればいかなる不活性ガス（例えばＨｅ，Ｋｒなど）でも採用することができる。
【００１７】
また，処理容器１０２の下方には，不図示の真空引き機構と連通する排気管１５０が接続されており，その真空引き機構の作動により，処理室１０４内を所定の減圧雰囲気に維持することができる。
【００１８】
（２）ウェハの構成
次に，本実施の形態にかかるエッチング方法によりエッチング処理を施すウェハＷの構成について説明する。
本実施の形態で使用するウェハＷは，Ｃｕ膜層上にエッチング対象である層間絶縁膜が形成されている。この層間絶縁膜は，比誘電率が従来のＳｉＯ２よりも非常に小さい，例えばポリオルガノシロキサン架橋ビスベンゾシクロブテン樹脂（以下，「ＢＣＢ」と称する。）や，DowChemical社製のＳｉＬＫ（商品名）や，以下の示す構造を有するＦＬＡＲＥ（商品名）などの有機系低誘電率材料から構成されている。
【００１９】
【化１】
0003844413.tif 000002
【００２０】
また，層間絶縁膜上には，所定のパターンを有するエッチングマスクが形成されている。このエッチングマスクには，例えば，フォトレジスト膜層から成るマスクや，ＳｉＯ２膜層とフォトレジスト膜層とから成るマスクを採用することができる。
【００２１】
次に，上述したエッチング装置１００を用いて，本実施の形態にかかるエッチング方法によりウェハＷにコンタクトホールを形成する場合のエッチング工程について説明する。
まず，予め所定温度に調整された下部電極１０６上にウェハＷを載置し，該ウェハＷの温度を処理に応じて２０℃〜６０℃程度に維持する。次いで，本実施の形態にかかる処理ガス，すなわちＮ２とＨ２とＡｒの混合ガスを，ガス供給管１２４に介挿された流量調整バルブ１３４，１４０，１４６により上記各ガスの流量を調整しながら処理室１０４内に導入する。この際，処理室１０４内の圧力雰囲気が実質的に５００ｍＴｏｒｒ以上，好ましくは，実質的に５００ｍＴｏｒｒ〜８００ｍＴｏｒｒになるように，処理室１０４内を真空引きする。
【００２２】
次いで，下部電極１０６に対して，例えば周波数が１３．５６ＭＨｚで，電力が６００Ｗ〜１４００Ｗの高周波電力を印加する。また，上部電極１２２に対して，例えば周波数が６０ＭＨｚで，電力が６００Ｗ〜１４００Ｗの高周波電力を印加する。これにより，処理室１０２内に高密度プラズマが生成され，かかるプラズマによってウェハＷの有機系低誘電率材料からなる層間絶縁層に，所定形状のコンタクトホールが形成される。
【００２３】
本実施の形態は，以上のように構成されており，処理ガスは，少なくとも窒素原子含有気体と水素原子含有気体とを含み，真空処理室内の圧力は実質的に５００ｍＴｏｒｒ以上であるので，エッチストッパを用いることなく，マイクロトレンチングを防ぐことができる。また，上記処理ガスを採用すれば，マスク選択比を高めることができる。
【００２４】
さらに，処理ガスの構成として，Ｎ２やＨ２を採用したので，取扱いが容易であるとともに，大気中に放出されても地球の温暖化の原因となり難い。さらに，Ｎ２やＨ２は安価であるため，処理コストが上昇することがない。さらにまた，処理ガスにＡｒを含むようにしたので，エッチング条件を容易に制御できるため，形状制御を容易に行うことができる。さらにまた，処理ガスにＯ２を添加しなくても，所定のエッチング処理を行うことができるので，処理時にＣｕ層膜が酸化するのを防止できる。このため，Ｃｕ層膜上に酸化防止膜を形成する必要がなく，被処理体の厚みを相対的に薄くすることができる。
【００２５】
【実施例】
次に，図２〜図５を参照しながら本発明にかかるエッチング方法の実施例について説明する。なお，後述する実施例１〜実施例２は，上記実施の形態で説明したエッチング装置１００を用いて，ウェハＷの層間絶縁膜にコンタクトホールを形成したものであるので，上記エッチング装置１００及びウェハＷと略同一の機能及び構成を有する構成要素については，同一の符号を付することにより重複説明を省略する。また，エッチングプロセス条件は，以下で特に示さない限り，上述した実施の形態と略同一に設定されている。
【００２６】
（Ａ）実施例１（処理室内の圧力雰囲気の変化）
まず，図２を参照しながら，処理室１０４内の圧力雰囲気を変化させた場合の実施例１（ａ）〜実施例１（ｃ）について説明する。
本実施例１（ａ）〜実施例１（ｃ）は，次の表に示す条件に基づいてエッチング処理を行い，上述したウェハＷの層間絶縁膜にコンタクトホールを形成した。なお，表及び図面において，ウェハＷの中央部をセンターと表記し，ウェハＷの端部をエッジと表記し，ウェハＷの中央部と端部の中間部をミドルと表記する。また，トレンチングとは，コンタクトホールの略中央部のエッチング深さに対するコンタクトホールの端部のエッチング深さの比を表しており，この値が大きいほどコンタクトホールの形状に悪影響を与えるマイクロトレンチングが形成されていることを表す。
【００２７】
【表１】
0003844413.tif 000003
【００２８】
その結果，実施例１（ｂ），（ｃ）では，同表及び図２（ｂ），（ｃ）に示すように，エッチングレートを低下させることなく良好な形状のコンタクトホールを形成することができた。これに対して，実施例１（ａ）では，同表及び図２（ａ）に示すように，コンタクトホールにマイクロトレンチングが生じた。
【００２９】
（Ｂ）実施例２（処理室内の圧力雰囲気の変化）
次いで，図３を参照しながら，処理室１０４内の圧力雰囲気を変化させた場合の実施例２（ａ）〜実施例２（ｃ）について説明する。本実施例は，実施例１と同様の条件で，形成されるコンタクトホールの幅を変えたものである。
本実施例２（ａ）〜実施例２（ｃ）は，次の表に示す条件に基づいてエッチング処理を行い，上述したウェハＷの層間絶縁膜にコンタクトホールを形成した。
【００３０】
【表２】
0003844413.tif 000004
【００３１】
その結果，実施例２（ｂ），（ｃ）では，同表及び図３（ｂ），（ｃ）に示すように，エッチングレートを低下させることなく良好な形状のコンタクトホールを形成することができた。これに対して，実施例２（ａ）では，同表及び図３（ａ）に示すように，コンタクトホールにマイクロトレンチングが生じた。本実施例の結果から，処理室内の圧力を所定の圧力に設定すれば，コンタクトホールの幅を変えた場合であっても，良好な形状のコンタクトホールを形成できることが分かる。
【００３２】
（Ｃ）実施例３（Ｎ２とＨ２の流量変化）
次に，図４を参照しながら，後述するエッチング装置２００を用いて，処理ガスを構成するＮ２とＨ２の流量を変化させた場合の実施例３について説明する。まず，図４を参照しながら，エッチング装置２００の構成について説明する。同図に示すエッチング装置２００の処理容器２０２内には，処理室２０４が形成されており，この処理室２０４内には，上下動自在なサセプタを構成する下部電極２０６が配置されている。下部電極２０６の上部には，高圧直流電源２０８に接続された静電チャック２１０が設けられており，この静電チャック２１０の上面にウェハＷが載置される。さらに，下部電極２０６上に載置されたウェハＷの周囲には，絶縁性のフォーカスリング２１２が配置されている。また，下部電極２０６には，整合器２２０を介してプラズマ生成用高周波電力を出力する高周波電源２２０が接続されている。
【００３３】
また，下部電極２０６の載置面と対抗する処理室２０４の天井部には，多数のガス吐出孔２２２ａを備えた上部電極２２２が配置されており，図示の例では，上部電極２２２は，処理容器２０２の一部を成している。また，ガス吐出孔２２２ａには，上記エッチング装置１００と同様に，ガス供給管２２４が接続され，さらにそのガス供給管２２４には，図示の例では第１，第２分岐管２２４，２２８が接続されている。
【００３４】
第１分岐管２２６には，開閉バルブ２３２と流量調整バルブ２３４を介して，Ｎ２を供給するガス供給源２３６が接続されている。また，第２分岐管２２８には，開閉バルブ２３８と流量調整バルブ２４０を介して，Ｈ２を供給するガス供給源２４２が接続されている。なお，上記エッチング装置１００と同様に，Ａｒ等の不活性ガスを供給するように，第３分岐管を備えるようにしてもよい。
【００３５】
また，処理容器２０２の下方には，上記エッチング装置１００と同様に，排気管１５０が接続されている。さらに，処理室２０４の外部には，処理容器２０２の外部側壁を囲うように磁石２３８が配置されており，この磁石２３８によって上部電極２２２と下部電極２０６との間のプラズマ領域に回転磁界が形成される。
【００３６】
そして，本実施例３（ａ）〜実施例３（ｄ）は，次の表に示す条件に基づいてエッチング処理を行い，上述したウェハＷの層間絶縁膜にコンタクトホールを形成した。
【００３７】
【表３】
0003844413.tif 000005
【００３８】
その結果，実施例３（ａ）〜実施例３（ｄ）では，同表及び図５に示すように，いずれの流量の場合でも良好な形状のコンタクトホールを形成することができた。本実施例の結果から，処理室内の圧力雰囲気を所定の圧力に設定すれば，Ｎ２とＨ２の流量を変化させた場合であっても，良好な形状のコンタクトホールを形成できることが分かる。
【００３９】
以上，添付図面を参照しながら本発明にかかるエッチング方法の好適な実施形態及び実施例について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００４０】
例えば，上記実施の形態において，Ｎ２とＨ２の混合ガス，あるいは，Ｎ２とＨ２とＡｒの混合ガスを処理ガスとして採用した構成を例に挙げて説明したが，本発明はかかる構成に限定されるものではない。例えば，Ｎ２とＨ２とＡｒの混合ガスにさらにＯ２や不活性ガスなどの各種ガスを添加しても，本発明を実施することができる。すなわち，処理ガス中に少なくとも窒素原子含有気体と水素原子含有気体が含まれていれば，本発明を実施することが可能である。
【００４１】
また，上記実施の形態および実施例において，平行平板型エッチング装置と，処理室内に磁界を形成するエッチング装置を例に挙げて説明したが，本発明はかかる構成に限定されるものではなく，静電シールドを設けた誘導結合型のエッチング装置や，マイクロ波型エッチング装置などの各種プラズマエッチング装置にも，本発明を適用することができる。
【００４２】
さらに，上記実施の形態において，ウェハに形成された有機系低誘電率材料から成る層間絶縁膜にコンタクトホールを形成する構成を例に挙げて説明したが，本発明はかかる構成に限定されるものではなく，被処理体に形成された層間絶縁膜にいかなるエッチング処理を施す場合にも適用することができる。
【００４３】
【発明の効果】
本発明によれば，エッチストッパを用いることなく，マイクロトレンチングを防ぐことができる。また，マスク選択比を高めることができる。
【００４４】
また特に請求項３に記載の発明によれば，処理ガスの取り扱いが容易であるとともに，処理ガスが大気中に放出されても温暖化の原因となり難い。さらに，処理コストが上昇することがない。
【００４５】
さらにまた請求項４に記載の発明によれば，エッチング条件を容易に制御できるため，溝の形状制御を容易に行うことができる。
【図面の簡単な説明】
【図１】本発明を適用可能なエッチング装置を示す概略的な断面図である。
【図２】本発明の実施例１を説明するための概略的な説明図である。
【図３】本発明の実施例２を説明するための概略的な説明図である。
【図４】本発明を適用可能な他のエッチング装置を示す概略的な断面図である。
【図５】本発明の実施例３を説明するための概略的な説明図である。
【符号の説明】
１００  エッチング装置
１０２  処理容器
１０４  処理室
１０６  下部電極
１０８  高圧電流電源
１１０  静電チャック
１１２  フォーカスリング
１１８  整合器
１１９  整合器
１２０  高周波電源
１２１  高周波電源
１２２  上部電極
１２２ａ  ガス供給孔
１２３  絶縁体
１２４  ガス供給管
１２６，１２８，１３０  分岐管（第１分岐管，第２分岐管，第３分岐管）
１３２，１３８，１４４  開閉バルブ
１３４，１４０，１４６  流量調整バルブ
１３６，１４２，１４８  ガス供給源
１５０  排気管
Ｗ  ウェハ
【図１】
0003844413.tif 000006
【図２】
0003844413.tif 000007
【図３】
0003844413.tif 000008
【図４】
0003844413.tif 000009
【図５】
0003844413.tif 000010